(57)【要約】【課題】手軽な、紙製の台紙や平面的なフォトフレームはいろいろとあるが、立体的な紙製の額縁タイプは組み立てるのが難しく、組み上がったものは強度の面で郵送などがしづらかった。本考察ではプリントした写真を入れて畳んだ状態で郵送が出来、利用者が開封して取り出すだけで自動的に立体的な額縁が組み上がり、すぐに飾ることが出来る紙製品を提供することでこの不便さを解決する。【解決手段】紙製の立体額縁を折りたたみ可能な形状に設計をし、額の中に輪ゴムを通すことで、畳んだ状態から自動的に額縁が組み上がるようにした。【選択図】図３
2019154766.tif 000002
【特許請求の範囲】
【請求項１】
1枚の用紙より組立と折り畳みが可能な立体額縁であって、額縁の内面に輪ゴムを入れることにより畳んだ状態より自動的に立体化することが出来る額縁。
【請求項２】
前期の立体額縁を畳んだ状態にすることで封筒やケースに入れ、移動並びに通常郵送が可能な立体額縁。
【発明の詳細な説明】
【技術分野】
【０００１】
本考案は紙で作られた額縁が畳んだ状態で封筒に入れられており、封筒から抜き出すことで自動的に立体になる額縁に関するものである。
【背景技術】
【０００２】
従来、写真や賞状などを入れる額縁は金属もしくは木製品がそのほとんどを占めており、持ち運びや郵送などの問題があった。さらに最近の住宅事情により壁に釘などを打ち付けることが出来ない場合には重量のある金属や木製の額縁は飾ることが困難であった。
紙製の立体的な額縁は以前より存在したが、組立方法が手間であったり、一度組み立ててしまうと強度が少なく、持ち運びや郵送時に破損してしまうことが分かった。
【先行技術文献】
【特許文献】
【０００３】
【特許文献１】特開平2013-099454
【特許文献２】特開平2002-002666
【発明の概要】
【発明が解決しようとする課題】
【０００４】
従来の紙製立体什器は特開2013-099454や特開2002-002666のような形のために組立が大変であり、また組立済のものは強度がなく郵送や移動には適していなかった。
【０００５】
本考案は紙製立体額縁を封筒や薄いケースに入れられるように折り畳むことで郵送や移動が簡易にでき、取り出した時には自動的に立体に組み上がる事で、組立の手間をなくすことで即時に飾ることが出来ることを目的としている。
【課題を解決するための手段】
【０００６】
本発明はこのような目的のために立体紙製額縁を折りたたみ可能な形状にすることにより、畳んだ状態で封筒や薄いケースに入れられるようにした。
【０００７】
また、額の中面に輪ゴムを通し、その復元力を利用することで折りたたんだ額部分が自動的に起き上がり立体的な額縁形状になることで利用時の組立の手間をなくすことが可能となる。
【発明の効果】
【０００８】
この発明は、封筒や薄いケースから取り出すと、一瞬で立体的な額縁が組みあがるため、プリントした写真や賞状などを簡単に飾ることが出来る。
【０００９】
本発明は軽量なことで壁に飾る時にも弱粘性の両面テープなどで取り付けることが可能なため、釘などを利用して壁を傷つけることがない。
【００１０】
紙製なので額縁部分や背面、中面などに簡単にオリジナルの印刷が可能であり、オンデマンド印刷機などで小ロットでも安価に作成することが出来る。
【図面の簡単な説明】
【００１１】
【図１】畳まれた状態の自動立体型額縁構成体
【図２】封筒に畳まれた状態で入れることができる自動立体型額縁構成体
【図３】自動立体化展開途中の自動立体型額縁構成体
【図４】組み上がった状態の自動立体型額縁構成体
【図５】自動立体型額縁構成体の展開図
【図６】展開途中の自動立体型額縁構成体の透過図
【発明を実施するための形態】
【００１２】
以下、この発明の実施の形態を図面を参照しながら説明する。図5の展開図の台紙（1a）・（1b）・(1c）・（1d）を底面2に貼り付け、それらが起き上がることで立体的な額縁を構成体を形成する。
図1は図5の台紙（1a）・(1c）を先に底面2に貼り付け、フック（3a）と（3b）に輪ゴム（4a）を、フック（3c）と（3d）にゴム（4b）を掛けてから、その輪ゴムをまたぐように（1b）・（1d）を底面2に貼り付けた構成体を畳んだものである。
この時点で額縁(5b)・(5d)を上部より抑えることで畳んだ状態を保つことが出来る。
【００１３】
図2はその構成体を畳んだ状態で封筒（9）に入れている途中の図である。
【００１４】
図3は構成体を封筒から引っ張り出した時にゴムがもとに戻ろうとする復元力によって額面（6a）と（6c）が上昇する様子の途中経過である。
【００１５】
図4は輪ゴム(4a）・（4b）の復元力で(8a)と(8b)を支点に額面（6a）と（6c）が上昇することにより、額縁側面部分(7a)・(7b)・(7c)・(7d)が押し上げられることで額上面（6b）と額下面(6d)が持ち上がり、全体が組み上がった構成体の状態を示す。
【００１６】
図5はこの構成体の展開図である。
【００１７】
図6は図4の組み上がった構成体を畳んでいく過程での透過図であり、この畳む状態にするためには額面（6a）・（6c）を外へ広げるように畳むことで輪ゴム（4a）・（4b）が引っ張られる状態になっている図である。
【実施例】
【００１８】
では自動立体型額縁としての具体的な使い方を説明する。まず、図4のように額面（6a）と（6c）を広げながら畳み、額面（6b）と（6d）を内側に畳むことで、図6の輪ゴムが伸びつつある状態を経て、図1の畳まれた状態になる。
【００１９】
図2のように封筒に畳まれた状態で入れることで、構成体は畳まれた状態を保ったままで移動ならびに郵送することが可能になる。
【００２０】
封筒より構成体を取り出すことにより輪ゴムが復元する力を利用し、図3の状態を経て、図4の額縁として自動的に組み上がる。
組み上がった額縁の底面2の部分に写真などを入れ、その上から透明なPETフィルムなどを取り付けることで写真などを固定できる。
【００２１】
このようにして、薄い封筒から立体的な額縁が出ることにより、写真などの移動や郵送が簡単に可能になる。さらに、写真などを入れた状態でも額縁を畳むことが可能なため、手軽に郵送が出来、封筒を開封後にすぐに飾ることが出来る。
【産業上の利用可能性】
【００２２】
結婚式や卒業式などの集合写真をプリントして郵送する時の額縁としての利用。
【００２３】
封筒を開閉して取り出すと瞬時に立体的になるため、インパクトがあり、効果的なダイレクトメールとしての利用。
【００２４】
賞状や認定書などを入れて飾れる額縁としての利用。
【００２５】
ご当地に関連するデザインを額部分や裏面に施し、自撮り写真などを入れて、友人や家族などに郵送出来る絵ハガキに替わる観光土産としての利用。
【００２６】
軽量のメリットを活かした室内インテリアとしての利用。
【符号の説明】
【００２７】
1a  台紙（取付用のりしろ）
1b  台紙（取付用のりしろ）
1c  台紙（取付用のりしろ）
1d  台紙（取付用のりしろ）
2  台紙（底面）
3a  フック（輪ゴム取付用）
3b  フック（輪ゴム取付用）
3c  フック（輪ゴム取付用）
3d  フック（輪ゴム取付用）
4a  輪ゴム
4b  輪ゴム
5a  額縁（右側面）
5b  額縁（上側面）
5c  額縁（左側面）
5d  額縁（下側面）
6a  額面（右面）
6b  額面（上面）
6c  額面（左面）
6d  額面（下面）
7a  上側面額縁右端
7b  上側面額縁左端
7c  下側面額縁右端
7d  下側面額縁左端
8a  支点
8b  支点
9  封筒
【図１】
2019154766.tif 000003
【図２】
2019154766.tif 000004
【図３】
2019154766.tif 000005
【図４】
2019154766.tif 000006
【図５】
2019154766.tif 000007
【図６】
2019154766.tif 000008